(57)【特許請求の範囲】
【請求項１】
人体局部に向かって洗浄水を噴出させる噴出孔が上面側に形成され、該噴出孔から噴出される洗浄水中に空気を混入するために下面側に空気引込孔が形成され、該空気引込孔の周囲には、該空気引込孔への水の入り込みを防ぐガード部が凹み状に形成されていることを特徴とする局部洗浄装置のノズル。
【請求項２】
前記凹み状のガード部内の、空気引込孔の外周に、更に上方側へ凹んで外周溝を形成させたことを特徴とする請求項１に記載の局部洗浄装置のノズル。
【請求項３】
人体局部に向かって洗浄水を噴出させる噴出孔が上面側に形成され、該噴出孔から噴出される洗浄水中に空気を混入するために下面側に空気引込孔が形成され、該空気引込孔の外周には、下端がノズルの下面と面一状をなすように下方へ突出状にガード部が形成され、該ガード部の外周には、凹み状に外周凹溝が形成されていることを特徴とする局部洗浄装置のノズル。
【請求項４】
人体局部に向かって洗浄水を噴出させる噴出孔が上面側に形成され、該噴出孔から噴出される洗浄水中に空気を混入するために先端面に空気引込孔が開口形成され、該空気引込孔の周囲には、該空気引込孔への水の入り込みを防ぐガード部が先端面から先端方向へ突出して形成され、該ガード部は、空気引込孔の上面を覆う上部突片部と、該上部突片部の先端から下傾する傾斜片部と、該傾斜片部の下端との間に開口を形成させてノズルの下面から面一状に先端方向へ突出した下部突片部で構成されていることを特徴とする局部洗浄装置のノズル。
【発明の詳細な説明】
【０００１】
【産業上の利用分野】
この発明は、局部洗浄装置のノズルに関するものである。
【０００２】
【従来の技術及びその課題】
従来、局部洗浄装置のノズルから噴出される洗浄水中に気泡を混入させて、洗浄フィーリングを向上させたものが存在するが、洗浄水中に空気を混入させるために空気引込孔が形成されており、従来では、この空気引込孔にノズルを伝って垂れた水が入り込むと、空気引込孔が塞がれて空気の混入が不安定となるという問題点があった。
【０００３】
【課題を解決するための手段】
本発明は上記従来の問題点に鑑み案出したものであって、空気の混入が安定化する局部洗浄装置のノズルを提供せんことを目的とし、その第１の要旨は、人体局部に向かって洗浄水を噴出させる噴出孔が上面側に形成され、該噴出孔から噴出される洗浄水中に空気を混入するために下面側に空気引込孔が形成され、該空気引込孔の周囲には、該空気引込孔への水の入り込みを防ぐガード部が凹み状に形成されていることである。
また、第２の要旨は、前記凹み状のガード部内の、空気引込孔の外周に、更に上方側へ凹んで外周溝を形成させたことである。
また、第３の要旨は、人体局部に向かって洗浄水を噴出させる噴出孔が上面側に形成され、該噴出孔から噴出される洗浄水中に空気を混入するために下面側に空気引込孔が形成され、該空気引込孔の外周には、下端がノズルの下面と面一状をなすように下方へ突出状にガード部が形成され、該ガード部の外周には、凹み状に外周凹溝が形成されていることである。
また、第４の要旨は、人体局部に向かって洗浄水を噴出させる噴出孔が上面側に形成され、該噴出孔から噴出される洗浄水中に空気を混入するために先端面に空気引込孔が開口形成され、該空気引込孔の周囲には、該空気引込孔への水の入り込みを防ぐガード部が先端面から先端方向へ突出して形成され、該ガード部は、空気引込孔の上面を覆う上部突片部と、該上部突片部の先端から下傾する傾斜片部と、該傾斜片部の下端との間に開口を形成させてノズルの下面から面一状に先端方向へ突出した下部突片部で構成されていることである。
【０００４】
【実施例】
以下、本発明の実施例を図面に基づいて説明する。
図１は、第１実施例の局部洗浄装置のノズルの断面図を示すものであり、ノズル１内には、洗浄水が通る流路２が形成され、この流路２の先端側には縮径した絞り流路３が形成され、絞り流路３の先端側に負圧室４が形成されて、この負圧室４の上面１ａ側に、洗浄水を噴出する噴出孔５，５が形成されたものとなっており、負圧室４に連通してノズル１の下面１ｂ側には空気引込孔６が開口されたものとなっている。また、この空気引込孔６の開口端外周には、ガード部７が下面１ｂから下方へ突出状に形成され、このガード部７は、ノズル１を伝わって垂れる水を水切りして落下させることができ、このガード部７により空気引込孔６が水で塞がれることが防がれるものとなっている。
【０００５】
このような構造では、流路２内を流れる洗浄水が、絞り流路３で絞られて、その後に一気に負圧室４で広がると、この負圧室４内で負圧が発生し、この負圧により空気引込孔６から空気を負圧室４内に引き込んで、洗浄水中に空気を混入させ、空気を混入した洗浄水を噴出孔５，５から良好に噴出させることができるものとなる。
なお、ノズル１を、例えば撥水性テフロン等の素材で形成させておけば、前記ガード部７でより良好に水滴を落下させて、空気引込孔６が水で塞がれることをより確実に防ぐことができるものとなる。
【０００６】
次に、図２は第２実施例を示すものであり、本例では、前記図１の突出状のガード部７に代えて、ノズル１の下面１ｂの空気引込孔６の外周に、凹み状にガード部８を形成したものであり、空気引込孔６の外周では更に上方側へ凹んで外周溝８ａが形成され、この外周溝８ａで確実に水の空気引込孔６側への入り込みを防いで、ガード部８の内壁面に沿って下方側へ水滴を落下させて水切りできるように構成したものであり、空気引込孔６が水で塞がれることがなく、確実に空気引込孔６から安定して空気が負圧室４内に入り、洗浄水中に安定して空気を混入させて噴出孔５から気泡水を噴出させることができるものとなる。なお、図２のような凹み状のガード部８を形成しておけば、ノズル１が図示しないノズルシリンダ内に収納される際にも、ノズル１の収納が阻害されることがない。
【０００７】
次に、図３は第３実施例を示すものであり、図３では、図２と図１の構造を合体させたようなガード部が下面１ｂに形成されたものである。即ち、空気引込孔６の外周には、下方へ突出状に筒状のガード部１０が形成され、さらにその外周に、凹み状に外周凹溝９が形成されたもので、この外周凹溝９と前記ガード部１０により確実に水滴を切り下方へ落下させて、水滴が空気引込孔６内に入ることを確実に防ぐことができるものとなる。なお、ガード部１０の下端がノズル１の下面１ｂと面一状をなすような突出寸法に形成しておくと、ノズル１の収納時に当たることがない。
【０００８】
次に、図４は第４実施例を示すものであり、図４では、ノズルの先端面１ｃから、更に先端方向へ突出してガード部１１を形成したものであり、空気引込孔６はこのガード部１１内の先端面１ｃに開口させて、ノズル１内の負圧室４に連通させたものである。先端面１ｃに形成されたガード部１１は、空気引込孔６の上面を覆う上部突片部１１ａと、この上部突片部１１ａの先端から下傾する傾斜片部１１ｂと、この傾斜片部１１ｂの下端との間に開口Ｋを形成させて、ノズル１の下面１ｂから面一状に先端方向へ突出した下部突片部１１ｃで構成されたものとなっている。
【０００９】
このような構成においても、ガード部１１で垂れてくる水を下方側へ落下させて、空気引込孔６内への水の侵入を確実に防ぐことができて、空気引込孔６から空気を負圧室４内に確実に引き込んで洗浄水に空気を混入させ、噴出孔５から気泡水を噴出させることができ、空気の混入が安定したものとなる。
なお、このようにノズル１の先端部にガード部１１を形成させたものにおいては、掃除の時等にノズル１を引き出す際に、このガード部１１を指で握り、引き出し用の取っ手としても利用することができるものとなる。
【００１０】
【発明の効果】
本発明の局部洗浄装置のノズルは、人体局部に向かって洗浄水を噴出させる噴出孔が上面側に形成され、該噴出孔から噴出される洗浄水中に空気を混入するために下面側に空気引込孔が形成され、該空気引込孔の周囲には、該空気引込孔への水の入り込みを防ぐガード部が凹み状に形成されていることにより、ノズルを伝わって垂れる水をガード部で水切りし、空気引込孔への水の侵入を確実に防ぐことができるため、空気引込孔が水で塞がれることがなく、そのため安定して空気引込孔から空気を内部の洗浄水中に混入させることができ、気泡水によりソフトな洗浄が常に確保できる効果を有する。
また、ガード部は凹み状に形成されているため、ノズルが収納される際にもノズルの収納が阻害されることがない。
【００１１】
また、前記凹み状のガード部内の、空気引込孔の外周に、更に上方側へ凹んで外周溝を形成させたことにより、外周溝で確実に水の空気引込孔への入り込みを防いで、ガード部の内壁面に沿って下方側へ水滴を落下させて水切りすることができるものとなる。
【００１２】
また、人体局部に向かって洗浄水を噴出させる噴出孔が上面側に形成され、該噴出孔から噴出される洗浄水中に空気を混入するために下面側に空気引込孔が形成され、該空気引込孔の外周には、下端がノズルの下面と面一状をなすように下方へ突出状にガード部が形成され、該ガード部の外周には、凹み状に外周凹溝が形成されていることにより、外周凹溝とガード部により確実に水滴を切り、下方へ落下させて、水滴が空気引込孔内に入ることを確実に防ぐことができるものとなる。
また、ガード部の下端がノズルの下面と面一状をなすため、ノズルの収納時に当たることがなく、ノズルの収納が阻害されることがない。
【００１３】
また、人体局部に向かって洗浄水を噴出させる噴出孔が上面側に形成され、該噴出孔から噴出される洗浄水中に空気を混入するために先端面に空気引込孔が開口形成され、該空気引込孔の周囲には、該空気引込孔への水の入り込みを防ぐガード部が先端面から先端方向へ突出して形成され、該ガード部は、空気引込孔の上面を覆う上部突片部と、該上部突片部の先端から下傾する傾斜片部と、該傾斜片部の下端との間に開口を形成させてノズルの下面から面一状に先端方向へ突出した下部突片部で構成されていることにより、ガード部で垂れてくる水を下方側へ落下させて、空気引込孔内への水の侵入を確実に防ぐことができるものとなる。
また、ガード部を指で握り、掃除の時等にノズル引き出し用の取っ手としても利用することができるものとなる。
【図面の簡単な説明】
【図１】第１実施例のノズルの断面構成図である。
【図２】第２実施例のノズルの断面構成図である。
【図３】第３実施例のノズルの断面構成図である。
【図４】第４実施例のノズルの断面構成図である。
【符号の説明】
１  ノズル
１ａ  上面
１ｂ  下面
１ｃ  先端面
２  流路
３  絞り流路
４  負圧室
５  噴出孔
６  空気引込孔
７  ガード部
８  ガード部
８ａ  外周溝
９  外周凹溝
１０  ガード部
１１  ガード部
【図１】
0003590928.tif 000002
【図２】
0003590928.tif 000003
【図３】
0003590928.tif 000004
【図４】
0003590928.tif 000005